(57)【要約】【課題】接近した２本のワイヤが電気器具の外部に放射される電磁波による障害を引き起こす、ＥＭＣなどの問題を解決する電気器具を提供する。【解決手段】外壁及び内壁を有するハンドルと、内壁の中に収容されたモータ及びヒーターと、モータ用電源線及び前記ヒーター用電源線を含む配線組立体とを備える手持ち式電気器具が開示され、ハンドルの中で、モータ用電源線は、ヒーター用電源線とは実質的に正反対にある。モータ用電源線は、配線組立体がモータを通過して延びる場合、ヒーター用電源線の実質的に反対側にある。配線組立体がモータを通過して延びる場合、配線組立体は、外壁と内壁との間に配置される。内壁は、配線組立体を収容するための、半径方向外面に沿って延びる少なくとも１つのチャンネルを備え、少なくとも１つのチャンネルの各々は、配線組立体のワイヤを収容する。【選択図】図５
2018033963.tif 000002
【特許請求の範囲】
【請求項１】
外壁及び内壁を有するハンドルと、前記内壁の中に収容されたモータ及びヒーターと、前記モータ用電源及び前記ヒーター用電源を含む配線組立体とを備える手持ち式電気器具であって、前記ハンドルの中で、前記モータ用電源は、前記ヒーター用電源とは実質的に正反対の位置にある、電気器具。
【請求項２】
前記モータ用電源は、配線組立体が前記モータを通過して延びる場合、前記ヒーター用電源の実質的に正反対の位置にある、請求項１に記載の電気器具。
【請求項３】
前記配線組立体が前記モータを通過して延びる場合、前記配線組立体は、前記外壁と前記内壁との間に配置される、請求項１又は２に記載の電気器具。
【請求項４】
前記内壁は、配線組立体を収容するための、半径方向外面に沿って延びる少なくとも１つのチャンネルを備える、請求項３に記載の電気器具。
【請求項５】
前記少なくとも１つのチャンネルの各々は、前記配線組立体のワイヤを収容する、請求項４に記載の電気器具。
【請求項６】
前記少なくとも１つのチャンネルの各々は、前記配線組立体のワイヤを収容するように寸法づけられる、請求項５に記載の電気器具。
【請求項７】
前記少なくとも１つのチャンネルの各々は、半径方向外面内で、前記配線組立体のワイヤのうちの１つに適した深さを有する、請求項５に記載の電気器具。
【請求項８】
前記ハンドルは、一端の流体入口、及び前記外壁内で前記ハンドルに沿って延びる流体流れ経路をさらに備える、請求項１から７のいずれかに記載の電気器具。
【請求項９】
前記流体入口の上流側で、前記ハンドルは、ＰＣＢと、前記モータ及び前記ヒーターと、流体出口とを備える、請求項８に記載の電気器具。
【請求項１０】
前記ハンドルの長さの一部に関して、前記流体流れ経路は、前記内壁内を延びる、請求項９に記載の電気器具。
【請求項１１】
前記流体流れ経路は、前記ＰＣＢの下流側で前記内壁内を延びる、請求項１０に記載の電気器具。
【請求項１２】
前記電気器具は、ヘアケア電気器具である、請求項１から１１のいずれかに記載の電気器具。
【請求項１３】
前記ヘアケア電気器具は、ホットスタイリング電気器具である、請求項１１に記載の電気器具。
【発明の詳細な説明】
【技術分野】
【０００１】
本発明は、手持ち式電気器具に関し、より具体的にはホットスタイリング機器などの整髪用（ヘアケア）電気器具に関する。
【背景技術】
【０００２】
従来のホットスタイリング電気器具において、空気は、ファンユニットによって入口から吸い込まれ、出口から毛髪に向けられる。多くの場合、１つの電気器具は、種々のアタッチメントを備え、各アタッチメントは異なる出口、従って例えば乾燥、カーリング、又はボリュームを出すなどの異なる機能を有する。所望のスタイルに応じて、空気は加熱される場合又は加熱されない場合がある。アタッチメントは、整髪のために毛髪が巻き付けられて保持される剛毛（ｂｒｉｓｔｌｅ）を含むことができる。
【０００３】
電気器具は、特にファンユニット及びヒーターに電力を供給するための電源を有することになる。製品を貫通して延びて、ファンユニット及びヒーターを電源に接続するワイヤによって形成された電源回路は、電気器具の中に収容する必要がある。多くの場合、このようなワイヤは、単に１つの構成要素と他のものとの間に接続され、電気器具の中で固定されない状態になっている。
【発明の概要】
【発明が解決しようとする課題】
【０００４】
従って、状況次第では、接近した２本のワイヤが、電気器具の外部に放射される電磁波による障害（電磁波外乱）を引き起こす、ＥＭＣ（電磁適合性）などの問題が生じる可能性がある。
【課題を解決するための手段】
【０００５】
本発明は、外壁及び内壁を有するハンドルと、内壁の中に収容されたモータ及びヒーターと、モータ用電源及びヒーター用電源を含む配線組立体とを備える手持ち式電気器具を提供し、ハンドルの中で、モータ用電源線は、ヒーター用電源線とは実質的に正反対の位置にある。
【０００６】
好ましくは、前記モータ用電源は、配線組立体がモータを通過して延びる場合、ヒーター用電源の実質的に正反対の位置にある。
好ましい実施形態において、配線組立体がモータを通過して延びる場合、配線組立体は、外壁と内壁との間に配置される。
【０００７】
好ましくは、内壁は、配線組立体を収容するための、半径方向外面に沿って延びる少なくとも１つのチャンネルを備える。
好ましい実施形態において、少なくとも１つのチャンネルの各々は、配線組立体のワイヤを収容する。
【０００８】
好ましくは、少なくとも１つのチャンネルの各々は、配線組立体のワイヤを収容するように寸法づけられている。
好ましい実施形態において、少なくとも１つのチャンネルの各々は、半径方向外面内で、配線組立体のワイヤのうちの１つに適した深さを有する。
【０００９】
好ましくは、ハンドルは、一端の流体入口と外壁内でハンドルに沿って延びる流体流れ経路とをさらに備える。
好ましい実施形態において、流体入口の上流側で、ハンドルは、ＰＣＢと、モータ及びヒーターと、流体出口とを備える。
【００１０】
好ましくは、ハンドルの長さの一部に関して、流体流れ経路は、内壁内を延びる。
好ましい実施形態において、流体流れ経路は、ＰＣＢの下流側で内壁内を延びる。
【００１１】
好ましくは、電気器具は、ヘアケア電気器具である。
好ましい実施形態において、ヘアケア電気器具は、ホットスタイリング電気器具である。
好ましい実施形態において、電気器具は、ヘアケア電気器具であり、好ましくはホットスタイリング機器である。
【００１２】
本発明は、以下に添付図面を参照して例示的に説明される。
【図面の簡単な説明】
【００１３】
【図１】本発明によるユーザインタフェースを使用することができる電気器具を示す。
【図２】外壁なしのハンドルの上面図である。
【図３ａ】ワイヤありの本発明による内壁の第１の面の側面図である。
【図３ｂ】ワイヤなしの本発明による内壁の第１の面の側面図である。
【図４ａ】ワイヤありの本発明による内壁の第２の面の側面図である。
【図４ｂ】ワイヤなしの本発明による内壁の第２の面の側面図である。
【図５】本発明によるハンドルの断面図である。
【発明を実施するための形態】
【００１４】
図１及び２を参照すると、手持ち式電気器具１０の実施例が示されている。電気器具は、ハンドル２１０及び整髪用のアタッチメント２０を有する。ユーザが種々のスタイルを作ること及び電気器具に種々の機能を与えるのを可能にするために、アタッチメント２０は、取り外し可能であり、別のアタッチメントに置き換えることができる。加えて、アタッチメント２０は、未使用時に電気器具の保管を容易にするために取り外すことができる。ハンドル２１０は、複数の異なるユーザ操作ボタン３８、１３８を含み、ユーザは複数の異なる温度設定及び流量設定を選択することができる。ハンドル２１０は、ＰＣＢ９０、ファン及びモータを有するファンユニット７０、並びにヒーター８０を含み、使用時、ファンユニット７０は、流体入口２１２を通じて流体を吸い込み、流体は、ＰＣＢ９０を通過して、ファンユニット７０及び随意的に流体を加熱するヒーター８０を通って吸い込まれ、その後、アタッチメント２０内の流体出口２２から放出される。
【００１５】
ハンドル２１０は外壁２００及び内壁２２０を有する。内壁２２０は多くの機能を有し、内部にＰＣＢ（プリント基板）９０、ファンユニット７０、及びヒーター８０を収容する。半径方向外面２２０ａ上で、内壁２２０は、ＵＩ  ＰＣＢ９２を含むＵＩ（ユーザインタフェース）の特徴部、ユーザ操作ボタン３８、１３８をＵＩ  ＰＣＢ９２上のスイッチに接続するボタンの内部特徴部、及びＰＣＢ９０からハンドル２１０内の他の構成要素に延びる、例えば配線１４０、１５０、を保持する複数の成形特徴部を含む。
【００１６】
電気器具１０は、流体入口２１２で電気器具に取り付けられてコネクタ１００を介して内部配線に接続する、主給電及び電力ケーブル１０２を使用して電力供給される。この実施形態において、電源は、コネクタ１００からヒーター電源（線）１４０を通ってヒーター８０への回路を辿り、３本のワイヤ、対の中立線１４２、１４４及び活線９４は、ヒーター８０から戻り、ＵＩ  ＰＣＢに電力を供給し、ＵＩ  ＰＣＢは、モータケーブル１５０へ接続するＰＣＢ  ９０に別のワイヤ９６によって接続される。
【００１７】
モータケーブル１５０は、二芯ケーブルであり、比較的サイズが大きい。ＥＭＣの影響を阻止して電気器具の中に種々の全てのワイヤを実装するのをより容易にするために、モータケーブル１５０及びヒーターワイヤ１４０、１４２、１４４は、製品内で分配（分割）され、内壁２２０の両側に配置される。内壁２２０は、成形されたチャンネル１１０を備え、このチャンネルは、配線をチャネル１１０内に保持する保持パイプ１１２を有する、内壁の外面２２０ａから半径方向外向きに延びる棚部で形成される。電気器具の中のそれぞれのワイヤ９４、９６、１４０、１４２、１４４、１５０の直径は異なるので、チャンネル１１０の幅及び深さは異なっている。例示的に図５を参照すると、モータケーブル１５０の直径は比較的大きいので、このケーブルを収容するようになったチャンネル１１０ａは大きく、ヒーター電源線１４０を収容するようになったチャンネル１１０ｂよりも長い棚部を有する。また、各チャンネル１１０の間の間隙は、チャンネル１１０内に収容される配線の直径に応じて変化する。
【００１８】
モータケーブル１５０は、ＰＣＢ９０からモータ７０の下流端７０ｂまで延びて、モータ接触部（図示せず）に接続する。この実施形態において、ヒーター配線１４０、１４２、１４４、及びモータケーブル１５０は、モータ７０の長さにわたって分離され、モータケーブル１５０は、ＰＣＢ９０の隣接側に設けられた端子１５２を介してＰＣＢ９０に取り付く。ヒーター電源（線）１４０は、適宜、ＰＣＢ９０の遠位側に沿って引き回されるのでヒーター８０及びモータ７０用の電源（線）は、この長さに沿って正反対（直径方向）に配置される。
【００１９】
チャンネル１１０は、内壁２２０に沿って長手方向に延び、これらは、組立体を妨げる可能性があるので必ずしも連続する必要はなく、関連のワイヤを保持するのに十分な長さであり、ワイヤは、チャンネルから外に出ることはなく、異なるワイヤが交差しない。この実施形態において、外壁２００は内壁２２０の上にぴったりとフィットするので、ワイヤが内壁２２０の外面２２０ａと面一にならない場合には、外壁２００は、電気器具１０の組み立て時に内壁２２０の上を摺動しないことになる。
【００２０】
ワイヤを保持するチャンネル１１０と同様に、配線を正しい位置に保持するためのストラット１２０が設けられている。ストラット１２０はチャンネル１１０に対して直交しており、ストラット１２０は、内壁２２０の外周の周りに部分的に延びる。対照的に、チャンネルは、内壁２２０の外周に沿って部分的に延びる。ストラット１２０は、チャンネル１１０と同じ効果、すなわち配線を所要の場所に保持する効果をもたらす。
【００２１】
本発明は、ホットスタイリング機器に関連して詳細に説明されているが、流体を吸い込んで電気器具から流体の流出流を方向付ける任意の電気器具に適用できる。
【００２２】
電気器具は、ヒーターありで又はなしで使用することができ、流体の高速流出流の作用は乾燥効果をもたらす。
【００２３】
電気器具を通過する流体は、一般的には空気であるが、ガスの種々の組み合わせとすることができ、電気器具の性能、又は電気器具が、出力が毛髪又はその整髪用に向けられる物体上にもたらす影響を改善するために、添加物を含むことができる。
【００２４】
本発明は、前述の詳細な説明に限定されない。当業者であれば種々の変形例を理解できるはずである。
【図１】
2018033963.tif 000003
【図２】
2018033963.tif 000004
【図３ａ】
2018033963.tif 000005
【図３ｂ】
2018033963.tif 000006
【図４ａ】
2018033963.tif 000007
【図４ｂ】
2018033963.tif 000008
【図５】
2018033963.tif 000009